(57)【要約】【課題】  少ない部品点数で、共通の素材を多く用いて、部品の再利用が容易にできる梱包ケースを提供する。【解決手段】  電子機器２を裏面側から収納する透明なケース本体３と、ケース本体３の裏面側に配置される印刷用の台紙４と、この台紙４の裏面側を保護する透明な保護シート５とを備えた。従って、ケース本体３、台紙４、保護シート５の３つの部品で電子機器２を梱包することができるので、部品点数が少なくてすむ。また、透明なケース本体３と透明な保護シート５とを同じＰＥＴの合成樹脂で形成することができるので、部品の素材の種類を最小限に抑えることができる。これにより、部品の分別作業が簡単になるので、素材の再利用が容易にでき、素材の再利用率の高いものを提供できる。【選択図】        図２
2008265769.tif 000002
【特許請求の範囲】
【請求項１】
キー入力部を有する電子機器を梱包するための梱包ケースであって、
前記電子機器を裏面側から収納する透明なケース本体と、このケース本体の裏面側に配置される印刷用の台紙と、この台紙の裏面側を保護する透明な保護シートとを備え、
前記ケース本体は、本体シートと、この本体シートにその表面側に向けて膨出形成されて前記電子機器を裏面側から収納する収納凸部と、この収納凸部における前記電子機器の前記キー入力部に対応する箇所に設けられた開口部の周囲にこれを覆って固着された透明な軟質シートと、前記本体シートの周囲における３方向の縁部に裏面側へ折り返されて前記台紙と前記保護シートとの各縁部をスライド可能に挟み付けるスライド挟持部とを備えていることを特徴とする梱包ケース。
【請求項２】
前記ケース本体の前記本体シートにおける前記３方向以外の縁部には、少なくとも前記保護シートを係脱可能に係止する係止部が設けられていることを特徴とする請求項１に記載の梱包ケース。
【請求項３】
前記保護シートには、付属品を表面側から収納する収納凹部が裏面側に向けて膨出形成されていることを特徴とする請求項１または２に記載の梱包ケース。
【請求項４】
前記軟質シートは、透明なポリウレタン樹脂であることを特徴とする請求項１〜３のいずれかに記載の梱包ケース。
【発明の詳細な説明】
【技術分野】
【０００１】
この発明は、電子機器を梱包するための梱包ケースに関する。
【背景技術】
【０００２】
従来、電子機器を収納する収納ケースには、特許文献１に記載されているように、電子機器を保持する保持部材に装着し、この状態で電子機器を保持部材と共にケース本体の上辺側に設けられた開口部からケース本体内にスライドさせて収納し、このケース本体の開口部から突出した保持部材に補助部材を取り付けて、ケース本体の開口部を塞ぐように構成したものがある。
【特許文献１】特開２００５−４４９７３号
【０００３】
このような電子機器の収納ケースは、ケース本体の表面に柔軟性を有する透明なフィルムシートが電子機器の操作部および表示部に対応して設けられていることにより、ケース本体内に電子機器を収納した状態で、電子機器の操作部を操作することができるように構成されているので、電子機器を商品として陳列する梱包ケースとしても利用することができる。
【発明の開示】
【発明が解決しようとする課題】
【０００４】
しかしながら、このような電子機器の収納ケースでは、電子機器をケース本体に収納する際、予め電子機器を保持部材に装着し、この状態でケース本体内にその上方からスライドさせて収納する構成であるから、電子機器を保持するための保持部材が必要であり、またケース本体の開口部を塞ぐための補助部材も必要であるから、部品点数が多く、しかも各部品の素材が異なるため、部品を再利用する際、分別作業が煩雑になり、素材の再利用が容易にできないという問題がある。
【０００５】
この発明が解決しようとする課題は、少ない部品点数で、共通の素材を多く用いて、素材の再利用が容易にできる梱包ケースを提供することである。
【課題を解決するための手段】
【０００６】
この発明は、上記課題を解決するために、次のような構成要素を備えている。
請求項１に記載の発明は、キー入力部を有する電子機器を梱包するための梱包ケースであって、
前記電子機器を裏面側から収納する透明なケース本体と、このケース本体の裏面側に配置される印刷用の台紙と、この台紙の裏面側を保護する透明な保護シートとを備え、
前記ケース本体は、本体シートと、この本体シートにその表面側に向けて膨出形成されて前記電子機器を裏面側から収納する収納凸部と、この収納凸部における前記電子機器の前記キー入力部に対応する箇所に設けられた開口部の周囲にこれを覆って固着された透明な軟質シートと、前記本体シートの周囲における３方向の縁部に裏面側へ折り返されて前記台紙と前記保護シートとの各縁部をスライド可能に挟み付けるスライド挟持部とを備えていることを特徴とする梱包ケースである。
【０００７】
請求項２に記載の発明は、前記ケース本体の前記本体シートにおける前記３方向以外の縁部に、少なくとも前記保護シートを係脱可能に係止する係止部が設けられていることを特徴とする請求項１に記載の梱包ケースである。
【０００８】
請求項３に記載の発明は、前記保護シートに、付属品を表面側から収納する収納凹部が裏面側に向けて膨出形成されていることを特徴とする請求項１または２に記載の梱包ケースである。
【０００９】
請求項４に記載の発明は、前記軟質シートが、透明なポリウレタン樹脂であることを特徴とする請求項１〜３のいずれかに記載の梱包ケースである。
【発明の効果】
【００１０】
この発明によれば、電子機器を裏面側から収納する透明なケース本体と、ケース本体の裏面側に配置される印刷用の台紙と、この台紙の裏面側を保護する透明な保護シートとの３つの部品で、電子機器を梱包することができるので、部品点数が少なく、また透明なケース本体と透明な保護シートとを同じ素材で形成することができるので、部品の素材の種類を最小限に抑えることができ、これにより部品の分別作業が簡単になるので、素材の再利用が容易にでき、素材の再利用率の高いものを提供することができる。
【発明を実施するための最良の形態】
【００１１】
（実施形態１）
以下、図１〜図６を参照して、この発明を適用した梱包ケースの実施形態１について説明する。
この梱包ケース１は、図１〜図３に示すように、電子機器２を梱包するためのものであり、電子機器２を裏面側（図２では右側）から収納する透明なケース本体３と、このケース本体３の裏面側に配置される印刷用の台紙４と、この台紙４の裏面側を保護する透明な保護シート５とを備えている。
【００１２】
この場合、電子機器２は、図３に示すように、例えば電卓などの小型電子式計算機であり、機器ケース６の表面にキー入力部７、表示部８、およびソーラーパネル９が設けられ、内部に計算機能に必要な各種の電子部品（図示せず）が組み込まれているほか、電池（図示せず）が交換可能に設けられている。梱包ケース１のケース本体３は、再利用が容易なＰＥＴ（ポリエチレンテレフタレート）などの透明な合成樹脂からなっている。
【００１３】
すなわち、このケース本体３は、図１、図２および図４に示すように、本体シート１０と、この本体シート１０にその表面側（図２では左側）に向けて膨出形成されて電子機器２を裏面側（図２では右側）から収納する収納凸部１１と、この収納凸部１１における電子機器２のキー入力部７に対応する箇所に設けられた開口部１１ａの周囲にこれを覆って固着された透明な軟質シート１２と、本体シート１０の周囲における上辺側を除く３方向の縁部に裏面側（図２では右側）へ折り返されて台紙４と保護シート５との各縁部４ａ、５ａをスライド可能に挟み付けるスライド挟持部１３とを備えている。
【００１４】
この場合、本体シート１０は、図４に示すように、縦長の長方形状に形成されている。収納凸部１１は、図２および図４に示すように、電子機器２の外形とほぼ同じ形状で、表面側（図２では左側）に突出し且つ裏面側（図２では右側）に開放された状態で、図１および図４に示すように、本体シート１０の左側に偏って設けられている。すなわち、この収納凸部１１は、電子機器２の外形と同じ長方形の箱形状に形成されており、その表面には、開口部１１ａが電子機器２のキー入力部７に対応して設けられている。
【００１５】
透明な軟質シート１２は、透明な軟質合成樹脂、例えば透明なポリウレタン樹脂からなり、収納凸部１１の表面に設けられた開口部１１ａを覆った状態で、その周囲１２ａが熱圧着、超音波溶着、接着剤などによって固着されている。また、本体シート１０の各スライド挟持部１３は、図２および図４に示すように、本体シート１０の左右両側の縁部と、本体シート１０の下辺側の縁部とに設けられている。
【００１６】
すなわち、このスライド挟持部１３は、図２に示すように、本体シート１０の縁部を裏面側（図２では右側）へ向けて折り返すことにより、台紙４と保護シート５との各縁部４ａ、５ａが重なり合った厚みとほぼ同じ隙間を有して形成されている。これにより、スライド挟持部１３は、台紙４と保護シート５との左右両側の各縁部４ａ、５ａが、本体シート１０の上辺側の縁部から本体シート１０の左右両側のスライド挟持部１３に差し込まれてスライドしながらガイドされ、台紙４と保護シート５との下辺側の各縁部４ａ、５ａが、本体シート１０の下辺側のスライド挟持部１３に差し込まれることにより、台紙４と保護シート５とを本体シート１０の裏面側（図２では右側）に取り付けるように構成されている。
【００１７】
この場合、本体シート１０の上辺側の縁部には、台紙４および保護シート５を係脱可能に係止する係止部１４が設けられている。この係止部１４は、図２および図４に示すように、表面側（図２では左側）に向けて膨出形成された係止凸部１５と、この係止凸部１５の裏面側上辺に折り曲げ可能に設けられた折返し部１６と、この折返し部１６の上辺に設けられた一対の係止フック１７と１つの解除片１８とを備えている。この場合、係止凸部１５は、裏面側（図２では右側）に開放された横方向に長い長方形の箱形状で、その高さ（図２では左右方向の長さ）が電子機器２を収納する収納凸部１１の高さよりも低く形成されている。
【００１８】
また、この係止部１４の折返し部１６は、図２および図４に示すように、係止凸部１５の上辺に沿って設けられた第１ミシン目線１６ａと、この第１ミシン目線１６ａから係止凸部１５の上辺の深さだけ離れた箇所に設けられた第２ミシン目線１６ｂとを有し、この第１、第２ミシン目線１６ａ、１６ｂによって図２に示すようにそれぞれ折り曲げられることにより、係止凸部１５の内面に接近して配置されるように構成されている。一対の係止フック１７は、図４に示すように、折返し部１６の上辺における両側に設けられた突起部であり、図２に示すように、その先端（図２では下端）が後述するように台紙４と保護シート５とを係脱可能に係止するように構成されている。
【００１９】
また、解除片１８は、図４に示すように、折返し部１６の上辺における中間部に第３ミシン目線１８ａによって折り曲げ可能に設けられ、図２に示すように、係止凸部１５の下辺側の内面に沿って配置されるように構成されている。この場合、係止凸部１５の表面とこれに対応する箇所の折返し部１６とには、図１および図４に示すように、電子機器２を商品として陳列するための陳列棒（図示せず）が挿入する吊下げ孔１９が、それぞれ互いに重なり合うように対応して設けられている。
【００２０】
ところで、台紙４は、素材が紙であり、図２および図５に示すように、ケース本体３の係止部１４を含む本体シート１０とほぼ同じ大きさに形成されている。すなわち、台紙４は、本体シート１０の裏面（図２では右側面）とほぼ同じ大きさで、その上辺に係止部１４の係止凸部１５内に折り曲げられて配置される折曲配置部２０が設けられている。この折曲配置部２０は、図５に示すように、係止凸部１５の下辺側の立ち上がり面に対応する下辺部２０ａと、係止凸部１５の表面における内面に対応する表面部２０ｂと、係止凸部１５の上辺側の立ち上がり面に対応する上辺部２０ｃと、係止凸部１５の左右両側の内面に対応する両側の側面部２０ｄとを備えている。
【００２１】
この場合、表面部２０ｂには、吊下げ孔２１が係止部１４の互いに重なり合った吊下げ孔１９に対応して設けられており、この表面部２０ｂと下辺部２０ａとの折り曲げ部分には、係止部１４の一対の係止フック１７がそれぞれ差し込まれる係止孔２２が設けられている。また、この台紙４の表面には、図５に示すように、ケース本体３の収納凸部１１に対応する領域を除く全ての領域、つまり収納凸部１１の右側に位置する本体シート１０に対応する広告領域Ｅ１、および収納凸部１１の上側に位置する係止凸部１５に対応する広告領域Ｅ２が設けられている。この広告領域Ｅ１、Ｅ２には、商品である電子機器２を宣伝するための広告が印刷されている。また、この台紙４の裏面（図２では右側）における本体シート１０に対応する全域には、商品である電子機器２の仕様や簡単な取扱い説明などの文句（図示せず）が印刷されている。
【００２２】
一方、保護シート５は、ケース本体３と同じ材料、つまり再利用が容易なＰＥＴ（ポリエチレンテレフタレート）などの透明な合成樹脂からなり、図２に示すように、本体シート１０の裏面側を保護するものである。すなわち、この保護シート５は、図６に示すように、本体シート１０の裏面とほぼ同じ大きさに形成されており、その上辺には、係止部１４の係止凸部１５内に折り曲げられる折曲部２３が設けられている。この折曲部２３は、図２および図６に示すように、係止凸部１５の下辺側の立ち上がり面に対応する下辺部２３ａと、この下辺部２３ａから係止凸部１５の表面に沿って折り曲げられた押え部２３ｂとを備えている。この場合、下辺部２３ａと押え部２３ｂとの折り曲げ部分には、係止部１４の一対の係止フック１７がそれぞれ差し込まれる係止孔２４が台紙４の係止孔２２に対応して設けられている。
【００２３】
このような梱包ケース１で電子機器２を梱包する場合には、まず、電子機器２を本体ケース３の収納凸部１１内に裏面側から収納する。このときには、電子機器２のキー入力部７を収納凸部１１の軟質シート１２に対面させる。この状態で、電子機器２の裏面側に取扱説明書などの付属品２５を配置し、ケース本体３の上辺側から本体シート１０の左右両側のスライド挟持部１３に台紙４の両側の縁部４ａを差し込んで、本体シート１０の両側のスライド挟持部１３に沿って台紙４の両側の縁部４ａをスライドさせて台紙４の下辺の縁部４ａを本体シート１０の下辺のスライド挟持部１３に差し込む。
【００２４】
そして、台紙４の上辺に設けられた折曲配置部２０をケース本体３の係止部１４の係止凸部１５内に折り曲げて配置する。すなわち、折曲配置部２０の下辺部２０ａを係止凸部１５の下辺側の内面に密着させ、折曲配置部２０の表面部２０ｂを係止凸部１５の表面に対応する内面に密着させ、折曲配置部２０の上辺部２０ｃを係止凸部１５の上辺側の内面に密着させ、折曲配置部２０の左右両側の側面部２０ｄを係止凸部１５の左右両側の内面に密着させる。これにより、台紙４がケース本体３の裏面側に取り付けられている。この状態では、折曲配置部２０の上面部２０ｂに設けられた吊下げ孔２１が係止凸部１５の互いに重なり合った吊下げ孔１９に対応し、台紙４の広告領域Ｅ１、Ｅ２がケース本体３を通して表面側から見える。
【００２５】
この後、ケース本体３の上辺側から本体シート１０の左右両側のスライド挟持部１３に、保護シート５の両側の縁部５ａを差し込んで、本体シート１０の両側のスライド挟持部１３に沿って保護シート５の両側の縁部５ａをスライドさせて保護シート５の下辺の縁部５ａを本体シート１０の下辺のスライド挟持部１３に差し込む。これにより、保護シート５が台紙４の裏面側を覆ってケース本体３に配置される。そして、この保護シート５の上辺の折曲部２３を折り曲げてケース本体３の係止凸部１５内に折り込む。すると、折曲部２３の下辺部２３ａが係止凸部１５に配置された台紙４の折曲配置部２０における下辺部２０ａに密着し、折曲部２３の押え部２３ｂが係止凸部１５内に配置された台紙４の表面部２０ｂに密着して押える。
【００２６】
この状態で、ケース本体３の係止部１４における折返し部１６を第１、第２ミシン目線１６ａ、１６ｂで折り曲げて係止凸部１５内に配置された台紙４の上辺部２０ｃおよび表面部２０ｂに密着させ、折返し部１６の上辺（図２では下辺）に設けられた一対の係止フック１７を保護シート５の係止孔２４に差し込むと共に、台紙４の係止孔２２にも差し込む。これにより、保護シート５が台紙４の裏面を覆ってケース本体３に固定される。
【００２７】
このときには、台紙４の吊下げ孔２１が折返し部１６の吊下げ孔１９と係止凸部１５の上面の吊下げ孔１９とに対応していることにより、この吊下げ孔１９、２１に陳列棒（図示せず）を挿入させて電子機器２を商品として吊下げて陳列することができる。この状態では、台紙４の裏面に印刷された電子機器２の仕様や簡単な取扱い説明などの文句（図示せず）を透明な保護シート５を通して裏面側から見ることができる。
【００２８】
また、この電子機器２を梱包ケース１から取り出す場合には、まず、ケース本体３の係止部１４における解除片１８を裏面側に向けて引き出すことにより、一対の係止フック１７を保護シート５の係止孔２４および台紙４の係止孔２２から引き出し、一対の係止フック１７による保護シート５と台紙４との係止を解除する。この後、ケース本体３の係止部１４における折返し部１６を第１、第２ミシン目線１６ａ、１６ｂで折り曲げて広げる。
【００２９】
この状態で、保護シート５を本体シート１０の左右両側のスライド挟持部１３に沿って上辺側から引き出し、保護シート５をケース本体３から取り外す。この後、台紙４の折曲配置部２０をケース本体３の係止部１４の係止凸部１５内から抜き出す。この状態で、台紙４を本体シート１０の左右両側のスライド挟持部１３に沿って上方にスライドさせて上辺側から引き出し、台紙４をケース本体３から取り外す。これにより、ケース本体３の収納凸部１１が裏面側に開放されるので、電子機器２を収納凸部１１内から裏面側に取り出すことができる。
【００３０】
このように、この梱包ケース１によれば、電子機器２を裏面側から収納する透明なケース本体３と、ケース本体３の裏面側に配置される印刷用の台紙４と、この台紙４の裏面側を保護する透明な保護シート５との３つの部品で、電子機器２を梱包することができるので、部品点数が少なく、また透明なケース本体３と透明な保護シート５とを同じＰＥＴの合成樹脂で形成することができるので、部品の素材の種類を最小限に抑えることができ、これにより部品の分別作業が簡単になるので、素材の再利用が容易にでき、素材の再利用率の高いものを提供することができる。
【００３１】
この場合、ケース本体３は、本体シート１０と、この本体シート１０にその表面側に向けて膨出形成されて電子機器２を裏面側から収納する収納凸部１１と、この収納凸部１１における電子機器２のキー入力部７に対応する箇所に設けられた開口部１１ａの周囲にこれを覆って固着された透明な軟質シート１２と、本体シート１０の周囲における上辺側を除く３方向の縁部に裏面側へ折り返されて台紙４と保護シート５との各縁部４ａ、５ａをスライド可能に挟み付けるスライド挟持部１３とを備えた構成であることにより、電子機器２を梱包して商品として陳列した状態でも、収納凸部１１の開口部１１ａを覆った軟質シート１２を介して電子機器２のキー入力部７を操作することができる。
【００３２】
すなわち、軟質シート１２は、ポリウレタン樹脂で形成されているので、キー入力部７を繰り返し操作しても、軟質シート１２に皺ができず、製品である電子機器２に傷を付けないように良好に保護することができる。また、この軟質シート１２は、梱包ケース１の使用後にケース本体３から切り取って低温で焼却する際、ポリ塩化ビニルを用いた場合に比べて、ダイオキシンの発生量を軽減することができるので、環境対策上、好ましいものを提供することができる。また、ケース本体３および保護シート５はＰＥＴ樹脂であるから、梱包ケース１の使用後に破砕することにより、容易に再利用することができ、これによっても環境対策上、好ましいものを提供することができる。
【００３３】
また、台紙４は、素材が紙であるから、再利用が容易にできるほか、台紙４の表裏面に印刷が簡単にできる。この場合、ケース本体３が透明であるから、ケース本体３の裏面側に台紙４を配置しても、電子機器２に対応する箇所を除いて、台紙４の表面における広告領域Ｅ１、Ｅ２に印刷された宣伝を透明なケース本体３を通して見ることができる。また、台紙４の裏面に印刷された仕様や簡単な取扱い説明などの文句を透明な保護シート５を通して見ることができる。このため、電子機器２を梱包ケース１に梱包して陳列しても、台紙４が汚れることがなく、長期間に亘って台紙４を保護することができる。
【００３４】
また、この梱包ケース１によれば、ケース本体３の本体シート１０における３方向以外の縁部つまり上辺側の縁部に、台紙４および保護シート５を係脱可能に係止する係止部１４が設けられているので、係止部１４で台紙４および保護シート５を係止することにより、ケース本体３に対して台紙４および保護シート５を固定することができる。また、台紙４および保護シート５に対する係止部１４の係止を解除することにより、台紙４および保護シート５をケース本体３から容易に取り外すことができ、これによりケース本体３を容易に分解することができる。
【００３５】
すなわち、係止部１４は、表面側に向けて膨出形成された係止凸部１５と、この係止凸部１５の上辺に折り曲げ可能に設けられた折返し部１６と、この折返し部１６の上辺（図２では下辺）に設けられた一対の係止フック１７と１つの解除片１８とを備えているので、台紙４をケース本体３の裏面側に配置して台紙４の折曲配置部２０を係止凸部１５内に折り曲げて配置することにより、ケース本体３に対して台紙４を固定することができる。また、保護シート５を台紙４の裏面側に配置して折曲部２３を係止凸部１５内に折り曲げて配置し、この状態で係止部１４の折返し部１６を係止凸部１５内に折り曲げて配置し、この折返し部１６の一対の係止フック１７を保護シート５の係止孔２４に差し込むと共に、台紙４の係止孔２２にも差し込むことにより、台紙４および保護シート５をケース本体３に確実に固定することができる。
【００３６】
また、係止部１４による台紙４と保護シート５とに対する係止を解除する場合には、折返し部１６の解除片１８をケース本体３の裏面側に向けて引き出すことにより、一対の係止フック１７を保護シート５の係止孔２４と台紙４の係止孔２２とから引き出すことができ、これにより一対の係止フック１７による保護シート５と台紙４との係止を簡単に解除することができる。このため、保護シート５および台紙４を本体シート１０のスライド挟持部１３に沿って上辺側にスライドさせて引き出すことができるので、保護シート５および台紙４をケース本体３から容易に取り外すことができる。
【００３７】
これにより、梱包ケース１を簡単に分解することができるので、これによっても部品の再利用が容易にできる。また、梱包ケース１が簡単に分解できることにより、例えば陳列中に電子機器２の電池が切れても、梱包ケース１から電子機器２を容易に取り出すことができるので、簡単に電池を交換することができると共に、電池を交換した電子機器２を再び梱包ケース１で容易に梱包することができ、これにより使い勝手の良いものを提供することができる。
【００３８】
（実施形態２）
次に、図７〜図１１を参照して、この発明を適用した梱包ケースの実施形態２について説明する。なお、図１〜図６に示された実施形態１と同一部分には同一符号を付して説明する。
この梱包ケース３０は、電子機器３１が折り畳み式の小型電子式計算機であり、これに伴ってケース本体３の収納凸部３２が実施形態１と異なる構成であり、これ以外は実施形態１とほぼ同じ構成になっている。
【００３９】
すなわち、この梱包ケース３０に梱包される電子機器３１は、図７および図８に示すように、キー入力部７を有する第１ケース３３と、表示部８を有する第２ケース３４とを備え、この第１ケース３３と第２ケース３４とがヒンジ部３５によって開閉可能に連結されている。これにより、電子機器３１は、ヒンジ部３５を中心にして第１、第２ケース３３、３４が相対的に回転して開いた際に、キー入力部７と表示部８とが露出し、逆にヒンジ部３５を中心にして第１、第２ケース３３、３４が相対的に回転して閉じた際に、キー入力部７と表示部８とが互いに対面して第１、第２ケース３３、３４が重なり合うように構成されている。
【００４０】
一方、梱包ケース３０は、実施形態１と同様、電子機器３１を裏面側（図８では右側）から収納する透明なケース本体３と、このケース本体３の裏面側に配置される印刷用の台紙４と、この台紙４裏面側を保護する透明な保護シート５とを備えている。この場合にも、ケース本体３は、再利用が容易なＰＥＴなどの透明な合成樹脂からなっている。
【００４１】
すなわち、ケース本体３は、図７、図８および図９に示すように、本体シート１０と、この本体シート１０にその表面側（図８では左側）に向けて膨出形成されて電子機器３１を裏面側（図８では右側）から収納する収納凸部３２と、この収納凸部３２における電子機器３１のキー入力部７に対応する箇所に設けられた開口部３２ａの周囲にこれを覆って固着された透明な軟質シート１２と、本体シート１０の周囲における上辺側を除く３方向の縁部に裏面側（図８では右側）へ折り返されて台紙４と保護シート５との各縁部４ａ、５ａをスライド可能に挟み付けるスライド挟持部１３とを備えている。
【００４２】
この場合、ケース本体３の収納凸部３２は、図７、図８および図９に示すように、電子機器３１の第１、第２ケース３３、３４を所定角度（例えば１２０°）に開いた状態で収納するために、上辺部側３６ａが第２ケース３４の厚みとほぼ同じ高さで形成され、下辺部側３６ｂが第１ケース３３の傾きに応じて下辺側が次第に高くなるように傾斜して形成されている。この下辺部側３６ｂの傾斜した部分には、第１ケース３３のキー入力部７に対応する箇所に開口部３２ａが設けられており、この開口部３２ａの周囲には、これを覆う軟質シート１２が実施形態１と同様に固着されている。この場合にも、ケース本体３の上辺には、実施形態１と同様に係止部１４が設けられている。
【００４３】
また、このケース本体３の収納凸部３２内には、第１ケース３３の裏面側を支持する支持台３７が配置されている。この支持台３７は、図８および図１０に示すように、台紙４と同じ紙、またはケース本体３および保護シート５と同じＰＥＴなどの合成樹脂からなり、全体がほぼ楔形状に形成されている。すなわち、この支持台３７は、その表面部３７ａ（図８では左側）が第１ケース３３の裏面（図８では右側）と同じ傾斜で形成され、裏面部３７ｂ（図８では右側）が台紙４の表面と平行に形成され、下辺部３７ｃが裏面部３７ｂに対してほぼ垂直に形成され、これにより台紙４上に配置されて第１ケース３３の裏面を支持するように構成されている。
【００４４】
ところで、保護シート５には、図８および図１１に示すように、説明書や充電器などの付属品３９を表面側（図８では左側）から収納する収納凹部３８が裏面側に向けて膨出形成されている。この保護シート５は、実施形態１と同様、本体シート１０とほぼ同じ大きさに形成され、収納凹部３８内に表面側から付属品３９を収納した状態で、左右両側の縁部５ａが本体シート１０のスライド挟持部１３に挟まれてガイドされるように構成されている。この場合にも、保護シート５の上辺には、係止部１４の係止凸部１５内に折り曲げられる折曲部２３が設けられている。この折曲部２３における下辺部２３ａと押え部２３ｂとの折り曲げ部分には、図１１に示すように、係止部１４の一対の係止フック１７がそれぞれ差し込まれる係止孔２４が台紙４の係止孔２２に対応して設けられている。
【００４５】
このような梱包ケース３０によれば、実施形態１と同様の作用効果がある。すなわち、この梱包ケース３０においても、電子機器３１を裏面側から収納する透明なケース本体３と、ケース本体３の裏面側に配置される印刷用の台紙４と、この台紙４の裏面側を保護する透明な保護シート５との３つの部品で、電子機器３１を梱包することができるので、部品点数が少なく、また透明なケース本体３と透明な保護シート５とを同じＰＥＴの合成樹脂で形成することができるので、部品の素材の種類を最小限に抑えることができ、これにより部品の分別作業が簡単になるので、素材の再利用が容易にでき、素材の再利用率の高いものを提供することができる。
【００４６】
この場合、ケース本体３は、本体シート１０と、この本体シート１０にその表面側に向けて膨出形成されて電子機器３１を裏面側から収納する収納凸部３２と、この収納凸部３２における電子機器３１のキー入力部７に対応する箇所に設けられた開口部３２ａの周囲にこれを覆って固着された透明な軟質シート１２と、本体シート１０の周囲における上辺側を除く３方向の縁部に裏面側へ折り返されて台紙４と保護シート５との各縁部４ａ、５ａをスライド可能に挟み付けるスライド挟持部１３とを備えた構成であることにより、電子機器３１の第１、第２ケース３３、３４を所定角度に開いた状態で電子機器３１をケース本体３内に収納し、この状態で商品として陳列しても、収納凸部３２の開口部３２ａを覆った軟質シート１２を介して電子機器３１のキー入力部７を操作することができる。
【００４７】
すなわち、収納凸部３２は、電子機器３１の第１、第２ケース３３、３４を所定角度（例えば１２０°）に開いた状態で収納するために、上辺部側３６ａが第２ケース３４の厚みとほぼ同じ高さで形成され、下辺部側３６ｂが第１ケース３３の傾きに応じて次第に高くなるように傾斜して形成されており、これに伴って収納凸部３２内に第１ケース３３の裏面側を支持する支持台３７を配置した構成であるから、電子機器３１の第１、第２ケース３３、３４を所定角度に開いた状態で、収納凸部３２内に確実に且つ安定した状態で収納することができる。
【００４８】
また、この梱包ケース３０では、保護シート５に説明書や充電器などの付属品３９を表面側から収納する収納凹部３８が裏面側に向けて膨出形成されているので、電子機器３１の第１、第２ケース３３、３４を所定角度に開いた状態で、収納凸部３２内に電子機器３１を収納しても、説明書や充電器などの付属品３９を確実に且つ良好に収納することができる。
【００４９】
なお、上記実施形態１、２では、電子機器２、３１のキー入力部７に対応する軟質シート１２をポリウレタン樹脂で透明に形成した場合について述べたが、これに限らず、例えば半透明に着色すれば、店頭で製品が目立つようにすることができ、また軟質シート１２に製品である電子機器２、３１の宣伝文句を印刷すれば、宣伝用シールを廃止することができる。
【００５０】
また、上記実施形態１、２では、電子機器２、３１として電卓などの小型電子式計算機に適用した場合について述べたが、必ずしも電卓などの小型電子式計算機である必要はなく、電子辞書、電子手帳、ＰＤＡ（携帯情報端末機：パーソナル・デジタル・アシスタント）などの各種の電子機器に広く適用することができる。
【図面の簡単な説明】
【００５１】
【図１】この発明を適用した梱包ケースの実施形態１を示した正面図である。
【図２】図１のＡ−Ａ矢視における断面図である。
【図３】図１の梱包ケースに梱包される電子機器を示した正面図である。
【図４】図２のケース本体を示した正面図である。
【図５】図２の台紙を示した展開図である。
【図６】図２の保護シートを示した展開図である。
【図７】この発明を適用した梱包ケースの実施形態２を示した正面図である。
【図８】図７のＢ−Ｂ矢視における断面図である。
【図９】図８のケース本体を示した正面図である。
【図１０】図８の支持台を示した斜視図である。
【図１１】図８の保護シートを示した正面図である。
【符号の説明】
【００５２】
１、３０  梱包ケース
２、３１  電子機器
３  ケース本体
４  台紙
５  保護シート
７  キー入力部
８  表示部
１０  本体シート
１１、３２  収納凸部
１１ａ、３２ａ  開口部
１２  軟質シート
１３  スライド挟持部
１４  係止部
１７  係止フック
２２、２４  係止孔
３７  支持台
３８  収納凹部
２５、３９  付属品
【図１】
2008265769.tif 000003
【図２】
2008265769.tif 000004
【図３】
2008265769.tif 000005
【図４】
2008265769.tif 000006
【図５】
2008265769.tif 000007
【図６】
2008265769.tif 000008
【図７】
2008265769.tif 000009
【図８】
2008265769.tif 000010
【図９】
2008265769.tif 000011
【図１０】
2008265769.tif 000012
【図１１】
2008265769.tif 000013